(57)【特許請求の範囲】
【請求項１】
ファクシミリ機能とコードレス電話機能とを有する通信端末装置において、ファクシミリ制御を行うメイン基板を底板が金属板で構成された本体筐体に収容し、コードレス通信を行う高周波基板を金属板で構成され上部が開放された箱体である別の筐体に収容し、この筐体を本体筐体の底板の下に配置して接合したことを特徴とする通信端末装置。
【請求項２】
ファクシミリ機能とコードレス電話機能とを有する通信端末装置において、ファクシミリ制御を行うメイン基板を本体筐体に収容し、その本体筐体の底部を金属板製の底板で閉じ、その底板の下にコードレス通信を行う高周波基板、絶縁シート、導電性シートを順に配置し、別の筐体で下から覆ったことを特徴とする通信端末装置。
【請求項３】
前記高周波基板と前記メイン基板とを接続する信号線を、一体のフラットケーブルで構成したことを特徴とする請求項１又は２記載の通信端末装置。
【発明の詳細な説明】
【０００１】
【発明の属する技術分野】
本発明は、ファクシミリ機能とコードレス電話機能とを有する通信端末装置に係り、特に、簡素な構成でノイズを低減する通信端末装置に関するものである。
【０００２】
【従来の技術】
近年、半導体技術の進歩等に伴い、ファクシミリ装置等の通信端末装置も低価格に供給されるようになった。また、通信端末装置の機能が多様化し、ファクシミリ装置にコードレス電話機を付属させた通信端末装置も出現している。
【０００３】
【発明が解決しようとする課題】
ところで、コードレス通信に使用される電波帯域は４０ＭＨｚ以上である。従って、コードレス機能を実現するコードレス回路は高周波回路となる。一方、ファクシミリ機能を実現するファクシミリ回路は、その制御の多くをＬＳＩ又はコンピュータで行うデジタル回路となる。４０ＭＨｚ以上の高周波を使用する高周波回路は、回路から電磁波が放射され、その電磁波は近隣の他の回路にとっては悪影響を与えるノイズとなる。また、デジタルクロック動作を行うデジタル回路からも電磁波が放射され、ノイズとなる。従って、コードレス回路とファクシミリ回路とを近隣に配置すると、互いにノイズを出して影響し合うことになる。
【０００４】
従来、ファクシミリ装置にコードレス電話機を付属させた通信端末装置にあっては、コードレス回路とファクシミリ回路とを別々の基板に実装し、コードレス回路を実装した基板に電磁波シールドを施している。即ち、図４に示されるように、ファクシミリ制御を行うメイン基板１とコードレス通信を行う高周波基板３とを形成し、これらの２つの基板１，３を通信端末装置の筐体の底板４１上に水平に並べて配置し、高周波基板３には、無底箱状に形成した電磁波シールド部材４２を被せている。４３，４４は、各基板の回路部品を代表的に示すものである。４５は両基板を接続するリード線であり、電磁波シールド部材４２に穴４２ａを開けて通してある。
【０００５】
しかし、電磁波シールド部材４２の材料、加工、取り付け等のコストが通信端末装置のコストを増大させていた。また、電磁波シールド部材４２の下端と底板４１との隙間４２ｂやリード線４５を通す穴４２ａからの漏洩電磁波が無視できないという問題もある。
【０００６】
電磁波シールドとは別に、コードレス回路やファクシミリ回路をノイズの出にくい又はノイズに影響されにくいように構成するという対策もあるが、そのために回路が複雑になりコストを増大させることになる。
【０００７】
そこで、本発明の目的は、上記課題を解決し、簡素な構成でノイズを低減する通信端末装置を提供することにある。
【０００８】
【課題を解決するための手段】
上記目的を達成するために本発明は、ファクシミリ機能とコードレス電話機能とを有する通信端末装置において、ファクシミリ制御を行うメイン基板を底板が金属板で構成された本体筐体に収容し、コードレス通信を行う高周波基板を金属板で構成され上部が開放された箱体である別の筐体に収容し、この筐体を本体筐体の底板の下に配置して接合したものである。
【０００９】
また、本発明は、ファクシミリ機能とコードレス電話機能とを有する通信端末装置において、ファクシミリ制御を行うメイン基板を本体筐体に収容し、その本体筐体の底部を金属板製の底板で閉じ、その底板の下にコードレス通信を行う高周波基板、絶縁シート、導電性シートを順に配置し、別の筐体で下から覆ったものである。
【００１０】
前記高周波基板と前記メイン基板とを接続する信号線を、一体のフラットケーブルで構成してもよい。
【００１１】
【発明の実施の形態】
以下、本発明の一実施形態を添付図面に基づいて詳述する。
【００１２】
図１に示されるように、コードレス電話機付きファクシミリ装置は、ファクシミリ制御を行うメイン基板１を本体筐体（以下、ファクシミリ構成部筐体という）２に収容し、コードレス通信を行う高周波基板３を別の筐体（以下、コードレス構成部筐体という）４に収容し、このコードレス構成部筐体４をファクシミリ構成部筐体２に接合したものである。なお、コードレス電話機は図示しない。
【００１３】
コードレス構成部筐体４は、ファクシミリ構成部筐体２の底板の下に配置されている。メイン基板１は、ファクシミリ構成部筐体２の底板２ａ上に水平に配置されている。このファクシミリ構成部筐体２の底板２ａは金属板で構成されている。コードレス構成部筐体４は、金属板で構成され、上部が開放された箱体状に形成されている。高周波基板３は、コードレス構成部筐体４内に水平に配置されている。このコードレス構成部筐体４をファクシミリ構成部筐体２にネジ止め等により取り付けて一体のファクシミリ装置が構成されている。なお、高周波基板３の下に導電性シート５を張設し、この導電性シート５とファクシミリ構成部筐体２の底板２ａとを配線で接続してもよい。
【００１４】
図１の構成によれば、高周波基板３が上下・側方の全周囲を金属板で囲まれているので電磁的に遮蔽され、メイン基板１や他の機器に対して不要輻射を出すことがなく、外からのノイズも阻止されていることになる。また、コードレス構成部筐体４をファクシミリ構成部筐体２の底板２ａの下に配置したので、高周波基板３とメイン基板１との間に、広い面積を持つ底板２ａが存在することになり、この底板２ａが電磁的遮蔽に大きく寄与する。また、この底板２ａは既存の部品を流用したものであり新たな部品を追加する必要がない。
【００１５】
次に、図２及び図３を用いて、より具体的な実施形態を説明する。図２（ａ），（ｂ）に示されるように、メイン基板１を収容するファクシミリ構成部筐体２は、正面側が低くなるよう傾斜した上面に、ハンドセット２１、操作パネル２２を備え、底面は平坦に形成されている。なお、このファクシミリ構成部筐体２には、コードレス電話機が付属しない既存のファクシミリ装置を利用している。高周波基板３を収容するコードレス構成部筐体４は、正面側が背面側に比べてやや低く形成され、上部が開放されたものであり、奥行きがファクシミリ構成部筐体２より狭く形成されている。また、コードレス構成部筐体４の側部には、伸縮自在のアンテナ６が傾倒自在に取り付けられている。
【００１６】
このコードレス構成部筐体４を、図２（ｃ），（ｄ）に示されるように、ファクシミリ構成部筐体２の底面下に取り付けることにより、一体のコードレス電話機付きファクシミリ装置が完成する。コードレス構成部筐体４の底部四隅には、脚部４ａが形成されており、この脚部４ａがコードレス電話機付きファクシミリ装置を支えることになる。このように、ファクシミリ構成部筐体２より奥行きの狭いコードレス構成部筐体４をファクシミリ構成部筐体２の底板の下に取り付けたので、既存のファクシミリ装置の外観デザインを損ねることなく、コードレス通信機能を追加することができる。
【００１７】
図３に示されるように、本発明に係るコードレス電話機付きファクシミリ装置は、既存のファクシミリ装置からなるファクシミリ構成部筐体２にメイン基板１を収容し、その底部を金属板製の底板２ａで閉じ、その底板２ａの下に高周波基板３、絶縁シート７、導電性シート５を順に配置し、コードレス構成部筐体４で下から覆ったものである。８は、メイン基板１と高周波基板３とを接続するフラットケーブルである。コードレス構成部筐体４の側部に設けられたアンテナ６は、リード線によって高周波基板３に接続されている。
【００１８】
図３の構成によれば、コードレス構成部筐体４を樹脂で構成した場合でも、金属板製の底板２ａと導電性シート５とによって電磁的遮蔽効果を得ることができる。また、メイン基板１と高周波基板３との接続にフラットケーブル８を使用したので、多数の信号線を一括配線することができる。
【００１９】
【発明の効果】
本発明は次の如き優れた効果を発揮する。
【００２０】
（１）メイン基板と高周波基板とを別々の筐体に分離して収容したので、簡素な構成でノイズを低減することができる。
【００２１】
（２）既存のファクシミリ装置を簡単に改造して構成することができる。
【００２２】
（３）ケーブル配線が簡素化される。
【図面の簡単な説明】
【図１】本発明の一実施形態を示すコードレス電話機付きファクシミリ装置の概略構成図である。
【図２】本発明を適用した具体的なコードレス電話機付きファクシミリ装置の外観を示す図であり、（ａ）は組立て前の正面図、（ｂ）は組立て前の側面図、（ｃ）は完成後の正面図、（ｄ）は完成後の側面図である。
【図３】図２のコードレス電話機付きファクシミリ装置の分解斜視図である。
【図４】従来のコードレス電話機付きファクシミリ装置の部分構成図である。
【符号の説明】
１  メイン基板
２  本体筐体（ファクシミリ構成部筐体）
３  高周波基板
４  別の筐体（コードレス構成部筐体）
８  フラットケーブル
【図１】
0003632400.tif 000002
【図２】
0003632400.tif 000003
【図３】
0003632400.tif 000004
【図４】
0003632400.tif 000005